【手続補正書】
【提出日】平成25年7月5日(2013.7.5)
【手続補正１】
【補正対象書類名】明細書
【補正対象項目名】０００６
【補正方法】変更
【補正の内容】
【０００６】
上述した課題を解決するために請求項１記載の発明は、
撮影画像を表示する画像表示装置であって、
撮影位置及び／又は撮影方向の情報が付加されている複数の撮影画像のうち、選択された画像に付加されている付加情報を参照してその撮影位置及び／又は撮影方向を特定する特定手段と、
前記選択された画像内に写し込まれている被写体を認識する認識手段と、
前記特定手段により特定された撮影位置及び／又は撮影方向と前記認識手段により認識された被写体に基づいて、前記複数の撮影画像のうち、該撮影位置及び／又は撮影方向並びに該被写体に所定の類似度以上に類似する撮影画像を検索する画像検索手段と、
前記画像検索手段により検索された撮影画像を表示する表示手段と、
を具備したことを特徴とする。
請求項１に従属する発明として、
前記特定手段は、前記選択された画像に付加されている付加情報に付加されている付加情報を参照して、前記画像検索手段により所定の類似度以上に類似する撮影画像を検索するための撮影場所を特定する、
ようにしたことを特徴とする、請求項２記載の発明であってもよい。
【手続補正２】
【補正対象書類名】明細書
【補正対象項目名】０００７
【補正方法】変更
【補正の内容】
【０００７】
請求項１あるいは２に従属する発明として、
前記各撮影画像の付加情報は、撮影日時を更に含み、
前記画像検索手段は、前記撮影日時が現在日時から所定期間以上経過した画像を検索対象外とする、
ようにしたことを特徴とする、請求項３記載の発明であってもよい。
【手続補正３】
【補正対象書類名】明細書
【補正対象項目名】０００８
【補正方法】変更
【補正の内容】
【０００８】
請求項１〜３のいずれかに従属する発明として、
前記各撮影画像の付加情報は、撮影条件を更に含み、
前記画像検索手段は、前記撮影位置が所定の類似度以上に類似する撮影画像であり、かつ、前記撮影条件が所定の条件を満たす撮影画像を検索する、
ようにしたことを特徴とする、請求項４記載の発明であってもよい。
【手続補正４】
【補正対象書類名】明細書
【補正対象項目名】０００９
【補正方法】変更
【補正の内容】
【０００９】
請求項１〜４のいずれかに従属する発明として、
前記各撮影画像の付加情報は、撮影日時を更に含み、
前記表示手段は、前記画像検索手段により検索された撮影画像を表示する場合に、その撮影画像の付加情報に含まれている前記撮影日時も併せて表示する、
ようにしたことを特徴とする、請求項５記載の発明であってもよい。
【手続補正５】
【補正対象書類名】明細書
【補正対象項目名】００１０
【補正方法】変更
【補正の内容】
【００１０】
請求項１〜５のいずれかに従属する発明として、
前記各撮影画像の付加情報は、撮影日時を更に含み、
前記表示手段は、前記画像検索手段により検索された複数の撮影画像を表示する場合に、その撮影画像の付加情報に含まれている前記撮影日時に応じた順に表示する、
ようにしたことを特徴とする、請求項６記載の発明であってもよい。
【手続補正６】
【補正対象書類名】明細書
【補正対象項目名】００１１
【補正方法】変更
【補正の内容】
【００１１】
請求項１〜５のいずれかに従属する発明として、
前記表示手段は、前記画像検索手段により検索された複数の撮影画像を一覧表示する、
ようにしたことを特徴とする、請求項７記載の発明であってもよい。
【手続補正７】
【補正対象書類名】明細書
【補正対象項目名】００１２
【補正方法】変更
【補正の内容】
【００１２】
請求項１〜７のいずれかに従属する発明として、
複数の撮影画像を記憶する記憶手段を更に備え、
前記画像検索手段は、前記記憶手段に記憶されている複数の撮影画像を検索対象とする、
ようにしたことを特徴とする、請求項８記載の発明であってもよい。
【手続補正８】
【補正対象書類名】明細書
【補正対象項目名】００１３
【補正方法】変更
【補正の内容】
【００１３】
請求項１〜８のいずれかに従属する発明として、
通信手段を更に備え、
前記画像検索手段は、前記通信手段を介して外部の記憶装置に記憶されている複数の撮影画像を検索対象とする、
ようにしたことを特徴とする、請求項９記載の発明であってもよい。
【手続補正９】
【補正対象書類名】明細書
【補正対象項目名】００１４
【補正方法】変更
【補正の内容】
【００１４】
請求項１〜９のいずれかに従属する発明として、
前記画像検索手段は、前記特定手段により特定された撮影位置と前記認識手段により認識された被写体に基づいて前記複数の撮影画像のうち、該撮影位置及び該被写体に所定の類似度以上に類似する撮影画像を類似画像として検索するほか、前記特定手段により特定された撮影位置及びに所定の類似度以上に類似するが、前記認識手段により認識された被写体には所定の類似度以上に類似しない撮影画像を参考画像として検索する、
ようにしたことを特徴とする、請求項１０記載の発明であってもよい。
【手続補正１０】
【補正対象書類名】明細書
【補正対象項目名】００１５
【補正方法】変更
【補正の内容】
【００１５】
請求項１〜１０のいずれかに従属する発明として、
前記表示手段は、前記検索手段により検索された複数の撮影画像を予め任意にユーザ指定された表示形式に基づいて表示する、
ようにしたことを特徴とする、請求項１１記載の発明であってもよい。
また、上述した課題を解決するために請求項１２記載の発明は、
撮影位置及び／又は撮影方向の情報が付加されている複数の撮影画像のうち、選択された画像に付加されている付加情報を参照してその撮影位置及び／又は撮影方向を特定する工程と、
前記選択された画像内に写し込まれている被写体を認識する工程と、
前記特定された撮影位置及び／又は撮影方向と前記認識された被写体に基づいて、前記複数の撮影画像のうち、該撮影位置及び／又は撮影方向並びに該被写体に所定の類似度以上に類似する撮影画像を検索する工程と、
前記検索された撮影画像を表示する工程と、であることを特徴とする。
【手続補正１１】
【補正対象書類名】明細書
【補正対象項目名】００１６
【補正方法】変更
【補正の内容】
【００１６】
また、上述した課題を解決するために請求項１３記載の発明は、
コンピュータに対して、
撮影位置及び／又は撮影方向の情報が付加されている複数の撮影画像のうち、選択された画像に付加されている付加情報を参照してその撮影位置及び／又は撮影方向を特定する機能と、
前記選択された画像内に写し込まれている被写体を認識する機能と、
前記特定された撮影位置及び／又は撮影方向と前記認識された被写体に基づいて、前記複数の撮影画像のうち、該撮影位置及び／又は撮影方向並びに該被写体に所定の類似度以上に類似する撮影画像を検索する機能と、
前記検索された撮影画像を表示する機能と、であることを特徴とする。
【手続補正１２】
【補正対象書類名】特許請求の範囲
【補正対象項目名】全文
【補正方法】変更
【補正の内容】
【特許請求の範囲】
【請求項１】
撮影画像を表示する画像表示装置であって、
撮影位置及び／又は撮影方向の情報が付加されている複数の撮影画像のうち、選択された画像に付加されている付加情報を参照してその撮影位置及び／又は撮影方向を特定する特定手段と、
前記選択された画像内に写し込まれている被写体を認識する認識手段と、
前記特定手段により特定された撮影位置及び／又は撮影方向と前記認識手段により認識された被写体に基づいて、前記複数の撮影画像のうち、該撮影位置及び／又は撮影方向並びに該被写体に所定の類似度以上に類似する撮影画像を検索する画像検索手段と、
前記画像検索手段により検索された撮影画像を表示する表示手段と、
を具備したことを特徴とする画像表示装置。
【請求項２】
前記特定手段は、前記選択された画像に付加されている付加情報に付加されている付加情報を参照して、前記画像検索手段により所定の類似度以上に類似する撮影画像を検索するための撮影場所を特定する、
ようにしたことを特徴とする請求項１記載の画像表示装置。
【請求項３】
前記各撮影画像の付加情報は、撮影日時を更に含み、
前記画像検索手段は、前記撮影日時が現在日時から所定期間以上経過した画像を検索対象外とする、
ようにしたことを特徴とする請求項１あるいは請求項２に記載の画像表示装置。
【請求項４】
前記各撮影画像の付加情報は、撮影条件を更に含み、
前記画像検索手段は、前記撮影位置が所定の類似度以上に類似する撮影画像であり、かつ、前記撮影条件が所定の条件を満たす撮影画像を検索する、
ようにしたことを特徴とする請求項１〜３のいずれかに記載の画像表示装置。
【請求項５】
前記各撮影画像の付加情報は、撮影日時を更に含み、
前記表示手段は、前記画像検索手段により検索された撮影画像を表示する場合に、その撮影画像の付加情報に含まれている前記撮影日時も併せて表示する、
ようにしたことを特徴とする請求項１〜４のいずれかに記載の画像表示装置。
【請求項６】
前記各撮影画像の付加情報は、撮影日時を更に含み、
前記表示手段は、前記画像検索手段により検索された複数の撮影画像を表示する場合に、その撮影画像の付加情報に含まれている前記撮影日時に応じた順に表示する、
ようにしたことを特徴とする請求項１〜５のいずれかに記載の画像表示装置。
【請求項７】
前記表示手段は、前記画像検索手段により検索された複数の撮影画像を一覧表示する、
ようにしたことを特徴とする請求項１〜５のいずれかに記載の画像表示装置。
【請求項８】
複数の撮影画像を記憶する記憶手段を更に備え、
前記画像検索手段は、前記記憶手段に記憶されている複数の撮影画像を検索対象とする、
ようにしたことを特徴とする請求項１〜７のいずれかに記載の画像表示装置。
【請求項９】
通信手段を更に備え、
前記画像検索手段は、前記通信手段を介して外部の記憶装置に記憶されている複数の撮影画像を検索対象とする、
ようにしたことを特徴とする請求項１〜８のいずれかに記載の画像表示装置。
【請求項１０】
前記画像検索手段は、前記特定手段により特定された撮影位置と前記認識手段により認識された被写体に基づいて前記複数の撮影画像のうち、該撮影位置及び該被写体に所定の類似度以上に類似する撮影画像を類似画像として検索するほか、前記特定手段により特定された撮影位置及びに所定の類似度以上に類似するが、前記認識手段により認識された被写体には所定の類似度以上に類似しない撮影画像を参考画像として検索する、
ようにしたことを特徴とする請求項１〜９のいずれかに記載の画像表示装置。
【請求項１１】
前記表示手段は、前記検索手段により検索された複数の撮影画像を予め任意にユーザ指定された表示形式に基づいて表示する、
ようにしたことを特徴とする請求項１〜１０のいずれかに記載の画像表示装置。
【請求項１２】
撮影位置及び／又は撮影方向の情報が付加されている複数の撮影画像のうち、選択された画像に付加されている付加情報を参照してその撮影位置及び／又は撮影方向を特定する工程と、
前記選択された画像内に写し込まれている被写体を認識する工程と、
前記特定された撮影位置及び／又は撮影方向と前記認識された被写体に基づいて、前記複数の撮影画像のうち、該撮影位置及び／又は撮影方向並びに該被写体に所定の類似度以上に類似する撮影画像を検索する工程と、
前記検索された撮影画像を表示する工程と、
を含む画像表示方法。
【請求項１３】
コンピュータに対して、
撮影位置及び／又は撮影方向の情報が付加されている複数の撮影画像のうち、選択された画像に付加されている付加情報を参照してその撮影位置及び／又は撮影方向を特定する機能と、
前記選択された画像内に写し込まれている被写体を認識する機能と、
前記特定された撮影位置及び／又は撮影方向と前記認識された被写体に基づいて、前記複数の撮影画像のうち、該撮影位置及び／又は撮影方向並びに該被写体に所定の類似度以上に類似する撮影画像を検索する機能と、
前記検索された撮影画像を表示する機能と、
を実現させるためのプログラム。